(57)【要約】【課題】  気密性を保持しつつレール溝から水やごみ等を容易に排出できる開口部装置を提供する。【解決手段】  下枠の下方に水抜きが不可能である開口部装置であって、下枠３に設けられたレール１２ａ，１３ａの端部を切り欠くなどして短く形成されており、該レールの端部に隙間Ｓ１，Ｓ１が形成され、この隙間に、戸体７（外障子８、内障子９）が縦枠４，５に当接した際に該戸体７の戸先側の下端に密接または近接する気密材２０，２５が装着されており、この気密材に、レール１２ａ，１３ａに沿って形成されたレールの底面溝１３ｃ，１１ｂから気密材２０，２５の上面に向けて傾斜する傾斜面２１ｂ，２１ｃ，２５ｂ，２５ｃが形成されている。【選択図】      図３
2007070961.tif 000002
【特許請求の範囲】
【請求項１】
上枠、下枠および左右の縦枠からなる枠体と、前記下枠に設けられたレール上を移動可能な戸体とを備え、前記下枠の下方に水抜きが不可能である開口部装置であって、
前記下枠の前記レールが短く形成されて、該レールの端部に隙間が形成され、
この隙間に、前記戸体が前記縦枠に当接した際に該戸体の戸先側の下端に密接または近接する気密材が装着されており、
この気密材には、前記レールに沿って形成されたレール溝の底面から気密材の上面に向けて傾斜する傾斜面が形成されていることを特徴とする開口部装置。
【発明の詳細な説明】
【技術分野】
【０００１】
本発明は、土間と外部とを仕切る壁に設けられる土間用引戸等の開口部装置に関する。
【背景技術】
【０００２】
建物の土間と外部とを仕切る壁に設けられる開口部装置の一例として、特許文献１に記載のものが知られている。
この特許文献１に記載の開口部装置は、上枠、下枠および左右の縦枠からなる枠体と、前記下枠に設けられた溝に沿って移動する戸車を下部に有し、前記枠体内に移動可能に設けられた戸体とを備えたものである。
このような開口部装置では、戸車走行用の溝が下枠上面、言い換えれば土間床面より下側に配置されているので、溝に水抜き用の穴を形成するのは不可能である。
【０００３】
一方、開口部装置の枠体の下枠に、凸条のレールを形成し、このレール上を戸体が走行するような開口部装置も広く使用されている。
このような開口部装置を建物の土間と外部とを仕切る壁に設けた場合、レールが土間床面より高くなるが、このレールの端部を切り欠くなどして、レールの長さを短くすることによって、レールの端部から水を外部に排出することができる。
【０００４】
【特許文献１】特開平１１−１１７６０１号公報
【発明の開示】
【発明が解決しようとする課題】
【０００５】
しかしながら、上記のようにレールの長さを短くすると、レール端部に形成される隙間（レール端部と縦枠との間の隙間）によって、気密性が低下してしまう。そこで、気密性を高めるにはこの隙間を塞ぐ必要があるが、レール端部の隙間を単に塞いだ場合、気密性は高まるが、レールに沿って形成されたレール溝から雨水等の水やごみを容易に排出できないという問題がある。
【０００６】
本発明は、このような事情に鑑みてなされたもので、気密性を保持しつつレール溝から水やごみ等を容易に排出できる開口部装置を提供することを目的とする。
【課題を解決するための手段】
【０００７】
前記目的を達成するために、請求項１に記載の開口部装置は、上枠、下枠および左右の縦枠からなる枠体と、前記下枠に設けられたレール上を移動可能な戸体とを備え、前記下枠の下方に水抜きが不可能である開口部装置であって、前記下枠の前記レールが短く形成されて、該レールの端部に隙間が形成され、この隙間に、前記戸体が前記縦枠に当接した際に該戸体の戸先側の下端に密接または近接する気密材が装着されており、この気密材には、前記レールに沿って形成されたレール溝の底面から気密材の上面に向けて傾斜する傾斜面が形成されていることを特徴とする。
【発明の効果】
【０００８】
本発明の開口部装置によれば、戸体の全閉時に、レール端部に形成された隙間に装着された気密材に、戸体の戸先側の下端が密接または近接するので、前記隙間における戸体による気密性を保持できる。また、レール溝に溜まった雨水等の水やごみを、気密材に形成された傾斜面上から気密材の上面に移動させて、この上面から外部に排出できる。
なお、戸体の全閉時に、レール溝に、戸体の召合せ部の下端に密接または近接する気密材を装着するようにすると、戸体の召合せ部の下端とレール溝との間の隙間から外気が室内に侵入するのを防止することができる。
【発明を実施するための最良の形態】
【０００９】
以下、添付した図面を参照しながら、本発明の実施の形態を説明する。
図１は、本発明の実施の形態に係る開口部装置の縦断面図、図２は同横断面図である。
これらの図に示すように、開口部装置１は、上枠２、下枠３および左右の縦枠４，５からなる枠体６と、この枠体６の内側の開口を開閉する戸体７とを備えている。
【００１０】
戸体７は、外障子８と内障子９とを備えた引違い式の戸であり、その下端部には戸車８ａ，９ａが、上端部にはスライダ８ｂ，９ｂが取り付けられている。なお、外障子８より外側には、網戸１０が設けられており、この網戸１０の下端部には戸車１０ａが、上端部にはスライダ１０ｂが取り付けられている。スライダ８ｂ，９ｂ，１０ｂは上枠２に形成されたレール２ａ，２ｂ，２ｃに沿って摺動するようになっている。
【００１１】
前記下枠３は、図１および図３に示すように、下枠本体１１と、この下枠本体１１の上面に取り付けられた外レール部材１２および内レール部材１３とを備えている。下枠本体１１はアルミニウム合金の押出成形によって形成されたものであり、土間床に埋設された受材１４に係合した状態で、土間床に埋設されている。したがって、下枠３はその下方に水抜きが不可能となっている。
【００１２】
外レール部材１２は、ステンレス鋼製の板材をベンダー加工し、その複数個（例えば、２個）を長手方向に溶接によって接合することにより形成されたものであり、前記外障子８の戸車８ａが走行する外レール１２ａと、網戸１０の戸車１０ａが走行する網戸レール１２ｂと、これらレール１２ａ，１２ｂの間に、該レール１２ａ，１２ｂに沿って形成された底部１２ｃとによって構成されている。そして、このような構成の外レール部材１２は、下枠本体１１の上面に設置され、ビス１５によって固定されている。
【００１３】
内レール部材１３は、外レール部材１２と同様に、ステンレス鋼製の板材をベンダー加工し、その複数個（例えば、２個）を長手方向に溶接によって接合することにより形成されたものであり、前記内障子９の戸車９ａが走行する内レール１３ａと、この内レール１３ａと前記外レール１２ａとの間に、内レール１３ａに沿ってかつ該内レール１３ａと一体的に形成された底部１３ｃとによって構成されている。そして、このような構成の内レール部材１３は、下枠本体１１の上面に設置され、ビス１６によって固定されている。また、内レール部材１３はその室内側に位置する縁部を、下枠本体１１の上面に形成された段部１１ａに当接した状態で下枠本体１１に固定されている。
なお、外レール部材１２および内レール部材１３は、上述のようにベンダー加工および溶接により形成する代わりに、他の加工方法によって形成するようにしてもよい。
【００１４】
このように下枠本体１１に外レール部材１２と内レール部材１３とを別体にして取り付けることによって、下枠本体１１の所望の位置に、所望の高さの外レール１２ａと内レール１３ａを設けることができる。また、外レール部材１２と内レール部材１３とを別体に形成することによって、ベンダー加工することができ、したがってこれらをフォーミング加工により一体に形成する場合に必要な設備投資が不要になる。
また、外レール１２ａや内レール１３ａの補修、交換等を容易に行える。さらに、外レール部材１２および内レール部材１３がステンレス鋼製であり、下枠本体１１より高強度であるので、例えば人等に踏みつけられても、外レール１２ａや内レール１３ａが変形、破損し難くなる。なお、外レール部材１２および内レール部材１３の材質はステンレス鋼に限ることはないが、下枠本体１１より機械的強度の高い材質が望ましい。
【００１５】
また、前記下枠３を構成する外レール部材１２および内レール部材１３の両端部は所定の幅で切り欠くなどして短く形成されており、これによって、外レール部材１２および内レール部材１３の端部、すなわち、外レール部材１２および内レール１３の端部と左右の縦枠４，５との間に隙間Ｓ１，Ｓ１が形成されている。
そして、図３において、左側の隙間Ｓ１には気密材２０が装着されている。この気密材２０はＡＥＳ樹脂等の合成樹脂によって形成されたものであり、以下のように構成されている。
【００１６】
すなわち、まず、気密材２０は、図４に示すように、２つの気密材ピース２１，２２を射出成形によって一体的に形成した構成となっている。
一方の気密材ピース２１は、内部が中空で下面が開口した長方形板状に形成されており、その上面にはビス穴２１ａが形成されている。また、気密材ピース２１の一方の長辺側には、傾斜面２１ｂが形成されている。この傾斜面２１ｂは気密材ピース２１の上面から下面側に向けて下方に傾斜しており、この傾斜面２１ｂの下端縁は、気密材ピース２１の下面より所定の段差だけ上方に位置している。さらに、気密材ピース２１の一方の短辺側には、傾斜面２１ｃが形成されている。この傾斜面２１ｃは気密材ピース２１の上面から下面側に向けて下方に傾斜しており、この傾斜ｎ面２１ｃの下端縁は、気密材ピース２１の下面より所定の段差だけ上方に位置している。
【００１７】
他方の気密材ピース２２は、内部が中空で下面が開口した長方形板状に形成されており、気密材ピース２１の上面に設けられ、端部が気密材ピース２１の短辺側より外側に延出している。この延出した延出部２２ａの先端部には、延出方向と直交する方向に突出する突出部２２ｂが形成されている。
【００１８】
そして、このような構成の気密材２０は、図３に示すように、気密材ピース２１の短辺方向を外レール１２ａ、内レール１３ａの長手方向と平行にし、かつ傾斜面２１ｂを内レール部材１３側に向けた状態で、下枠本体１１の上面に設置されたうえで、ビス穴２１ａにビス２３を挿通して下枠本体１１にねじ込むことによって、該下枠本体１１に固定されている。
【００１９】
この状態において、気密材ピース２１の長辺側の側面両端部はそれぞれ前記外レール１２ａの端面と、内レール１３ａの端面に密接または近接している。
また、下枠本体１１の上面と、内レール部材１３の底部１３ｃの上面１３ｄとの間には、内レール部材１３の底部１３ｃの厚さ分だけ段差があるが、前記傾斜面２１ｂの下端縁は気密材ピース２１の下面より所定の段差だけ上方に位置している、つまり、内レール部材１３の底部１３ｃの厚さ分だけ上方に位置しているので、傾斜面２１ｂの下端縁は内レール部材１３の底部１３ｃの上面１３ｄとほぼ面一となる。このため、この傾斜面２１ｂは内レール１３ａに沿って形成されたレール溝の底面１３ｄから気密材ピース２１の上面に向けて傾斜している。
さらに、下枠本体１１の室内側に位置する上面１１ｂは、気密材ピース２１が設置されている上面より１段高いが、傾斜面２１ｃの下端縁は、気密材ピース２１の下面より所定の段差だけ上方に位置しているので、傾斜面２１ｃの下端縁は前記上面１１ｂとほぼ面一となる。このため、この傾斜面２１ｃは内レール１３ａに沿って形成されたレール溝の底面（下枠本体１１の上面）１１ｂから気密材ピース２１の上面に向けて傾斜している。
【００２０】
また、図２、図３および図６に示すように、気密材ピース２２の長辺側の側面は縦枠４に密接または近接しており、さらに、延出部２２ａの先端面と突出部２２ｂとは下枠本体１１の室内側の縁部に形成された立上壁１１ｃの端部に密接または近接している。さらに気密材ピース２２には、係合部２２ｂが形成されており、この係合部２２ｂは縦枠４に形成された被係合部４ｂに係合している。
上記のような構成の気密材２０の気密材ピース２１は、戸体７の外障子８が縦枠４に当接した際に該外障子８の戸先側の下端が密接または近接するようになっている（図５参照）。
【００２１】
また、図３において、右側の隙間Ｓ１には気密材２５が装着されている。この気密材２５はＡＥＳ樹脂等の合成樹脂によって形成されたものであり、以下のように構成されている。
すなわち、図７に示すように、気密材２５は内部が中空で下面が開口した略正方形板状に形成されており、その上面にはビス穴２５ａが形成されている。また、気密材２５の一辺側には傾斜面２５ｂが形成されている。この傾斜面２５ｂは気密材２５の上面から下面側に向けて下方に傾斜しており、この傾斜面２５ｂの下端縁は、気密材２５の下面より所定の段差だけ上方に位置している。さらに、気密材２５の他辺側には傾斜面２５ｃが形成されている。この傾斜面２５ｃは気密材２５の上面から下面側に向けて下方に傾斜しており、この傾斜面２５ｃの下端縁は、気密材２５の下面より所定の段差だけ上方に位置している。
【００２２】
そして、このような構成の気密材２５は、図３に示すように、気密材２５の他辺方向を外レール１２ａ、内レール１３ａの長手方向と平行にし、かつ傾斜面２５ｂを内部レール部材１３側に向けた状態で、下枠本体１１の上面に設置されたうえで、ビス穴２５ａにビス２６を挿通して下枠本体１１にねじ込むことによって、該下枠本体１１に固定されている。
【００２３】
この状態において、気密材２５は内レール１３ａの端面に密接または近接している。
また、下枠本体１１の上面と、内レール部材１３の底部１３ｃの上面１３ｄとの間には、内レール部材１３の底部１３ｃの厚さ分だけ段差があるが、前記傾斜面２５ｂの下端縁は気密材２５の下面より所定の段差だけ上方に位置している、つまり、内レール部材１３の底部１３ｃの厚さ分だけ上方に位置しているので、傾斜面２５ｂの下端縁は内レール部材１３の底部１３ｃの上面１３ｄとほぼ面一となる。このため、この傾斜面２５ｂは内レール１３ａに沿って形成されたレール溝の底面１３ｄから気密材２５の上面に向けて傾斜している。さらに、下枠本体１１の室内側に位置する上面１１ｂは、気密材２５が設置されている上面より１段高いが、傾斜面２５ｃの下端縁は、気密材２５の下面より所定の段差だけ上方に位置しているので、傾斜面２５ｃの下端縁は前記上面１１ｂとほぼ面一となる。このため、この傾斜面２５ｃは内レール１３ａに沿って形成されたレール溝の底面（下枠本体１１の上面）１１ｂから気密材２５の上面に向けて傾斜している。
【００２４】
また、図２、図３および図８に示すように、気密材２５の側面は縦枠５に密接または近接している。上記のような構成の気密材２５は、戸体７の内障子９が縦枠５に当接した際に該内障子９の戸先側の下端が密接または近接するようになっている（図９参照）。
【００２５】
また、図３において、外レール１２ａと内レール１３ａとの間に位置する内レール部材１３の底部１３ｃには、気密材２８が装着されている。この気密材２８はＡＥＳ樹脂等の合成樹脂によって形成されたものであり、以下のように構成されている。
すなわち、気密材２８は内部が中空で下面が開口した長方形板状に形成されており、その上面にはビス穴２８ａが形成されている。また、気密材２８の短辺側には傾斜面２８ｂが形成されている。この傾斜面２８ｂは気密材２８の上面から下面側に向けて下方に傾斜している。
【００２６】
そして、このような構成の気密材２８は、図３に示すように、気密材２８の長辺方向を外レール１２ａ、内レール１３ａの長手方向と平行にした状態で、内レール部材１３の底部１３ｃに設置されたうえで、ビス穴２８ａに前記ビス１６を挿通して、該ビス１６を内レール部材１３を貫通して下枠本体１１にねじ込むことによって、内レール部材１３とともに下枠本体１１に固定されている。
このような気密材２８は、外障子８と内障子９とがそれぞれ縦枠４，５に当接した際に、つまり枠体６の内側の開口を戸体７によって閉じた際に、外障子８と内障子９との召合せ部の下端が密接または近接するようになっている（図１１参照）。
【００２７】
上記のような開口部装置１によれば、戸体（外障子８、内障子９）７の全閉時に、レール端部（外レール１２ａ、内レール１３ａの端部）に形成された隙間Ｓ１，Ｓ１に装着された気密材２０，２５に、戸体（外障子８、内障子９）７の戸先側の下端が密接または近接するので、隙間Ｓ１，Ｓ１における戸体７による気密性を保持できる。
また、レール溝の底面１３ｄに溜まった雨水等の水やごみを、気密材２０，２５に形成された傾斜面２１ｂ，２５ｂ上から気密材２０，２５の上面に移動させて、この上面から外部に排出できる。
さらに、内レール１３ａと立上壁１１ｃとの間にあるレール溝の底面１１ｂに溜まった雨水等の水やごみを、気密材２０，２５に形成された傾斜面２１ｃ，２５ｃ上から気密材２０，２５の上面に移動させて、この上面から外部に排出できる。
また、戸体（外障子８、内障子９）７の全閉時に、外レール１２ａと内レール１３ａとの間に装着された気密材２８に、外障子８と内障子９との召合せ部の下端が密接または近接するので、これらの外障子８と内障子９との召合せ部の下端と、外レール１２ａと内レール１３ａとの間のレール溝との間の隙間から外気が室内に侵入するのを防止することができる。
【００２８】
次に、前記外障子８と内障子９との召合せ部に設けられているシリンダ錠について説明する。
すなわち、まず、図１２に示すように、外障子８と内障子９との召合せ部には、シリンダ錠３０が設けられている。このシリンダ錠３０は、外障子８と内障子９とをロックするものであるが、そのロック機構については説明を省略する。
シリンダ錠３０は、外障子８の召合せ側の縦框に設けられている第１シリンダ３１と、内障子９の召合せ側の縦框に設けられている第２シリンダ３２とを備えている。
【００２９】
ここで、上記のような開口部装置１は、土間と外部とを仕切る外壁等に設けられる、断熱性を高めた土間用引戸であり、耐風圧性能を満たすために框厚さが厚くなっており、また室外側網戸にぶつからないようにするために室内側に出っ張らせている。
したがって、第２シリンダ３２は第１シリンダ３１より長尺なものとなっているが、一般的な開口部装置では、第１シリンダと第２シリンダとはほぼ等しい長さとなっているものが多い。このため、外障子８と内障子９の縦框の框見込みの厚さが異なる開口部装置１では、第２シリンダ３２が特注品となることが多く、汎用のシリンダ錠を使用することができない。
【００３０】
そこで、本実施の形態では、図１３に示すように、第２シリンダ３２が設けられる内障子９の縦框の見付け面に開口部３３を形成し、この開口部３３から内部の中空部３４に第２シリンダ３２を挿入し、内部のリブ３５に固定するようにした。
したがって、第２シリンダ３２を第１シリンダ３１と同じ長さにすることができるので、汎用のシリンダ錠３０を使用することができる。
【００３１】
次に、前記外障子８と内障子９との召合せ部に設けられている引寄せ・引分け機構について説明する。
まず、図１３に示すように、本実施の形態では、外障子８と内障子９とにそれぞれ第１シリンダ３１と第２シリンダ３２とを設けている。第１シリンダ３１の召合せ側の端部と第２シリンダ３２の召合せ側の端部とには、フランジ部３１ａとフランジ部３２ａとが形成されおり、これらフランジ部３１ａとフランジ部３２ａとは縦框より若干突出している（本例では、フランジ部３１ａのみが縦框から若干突出している）。したがって、外障子８と内障子９とを開状態から閉状態へと移動させて、両障子８，９の縦框が召し合う際に、フランジ部３１ａとフランジ部３２ａが干渉して、スムーズに閉状態に移行できない場合ある。また、シリンダ錠３０を設けない場合でも、外障子８と内障子９との間隔が比較的狭い場合、縦框が干渉してしまうことがある。
【００３２】
そこで、本実施の形態では、外障子８と内障子９との召合せ部に、以下のような引寄せ・引分け機構を設けたのである。
すなわちまず、図１４〜図１８に示すように、内障子９の縦框４０に形成された煙返し４１に、引寄せ部材４２が設けられている。
この引寄せ部材４２は、図１６および図１７に示すように、側面視略矢印状に形成された板状の部材であり、樹脂によって形成されている。
【００３３】
引寄せ部材４２は四角形板状の板状部４３と、この板状部４３の右側面（図１６における右側面）に、板状部材４３と一体的に形成された矢印部４４とで構成されている。板状部４３にはビス穴４３ａが形成されている。
矢印部４４はその幅が板状部４３より大きくなっており、矢印部４４の一方の側面は板状部４３の一方の側面より突出しており、矢印部４４の他方の側面は板状部４４の他方の側面と面一となっている。
また、矢印部４４の上面と下面とには傾斜面４４ａ，４４ｂが形成されている。傾斜面４４ａ，４４ｂとは先端側に向かうにしたがって漸次接近するように形成されており、傾斜面４４ａと４４ｂとが交差する先端縁は鋭角に形成されている。さらに、傾斜面４４ｂと板状部４３の底面との間には段差部４５が形成されている。
【００３４】
このような構成の引寄せ部材４２は、図１４および図１５に示すように、縦框４０の煙返し４１に取り付けられている。
すなわち、煙返し４１の前記第２シリンダ３２に対応する部位部は、この部位を引寄せ部材４２の大きさに対応して切り欠いてなる切欠部が形成されており、この切欠部に引寄せ部材４２が装着されている。そして引寄せ部材４２はそのビス穴４３ａに図示しないビスを挿通して、第２シリンダ３２のフランジ部３２ａにねじ込むことによって固定されている。
引寄せ部材４２を煙返し４１に装着した状態において、矢印部４４の先端部は煙返し４１の先端部より突出している。したがって、この煙返し４１の先端の鋭角な部分を保護している。
また、矢印部４４の傾斜面４４ｂは煙返し４１の下面（縦框４０側を向く面）より下側（縦框材４０側）に位置している。一方、外障子８の縦框４６には煙返し４７が形成されており、この煙返し４７は、内障子８の縦框４０に形成された煙返し４２と係合するようになっている。
【００３５】
以上のような構成の引寄せ・引分け機構では、図１８に示すように、内障子９を外障子８に近付けて、障子開状態から障子閉状態に移行していくと、図１８（ｆ），(ｅ)に示すように、引寄せ部材４２がしだいに外障子８側に移動していき、引寄せ部材１２の傾斜面４４ａが外障子８の第１シリンダ３１のフランジ部３１ａに当接し、さらに、引寄せ部材４２が移動することによって、傾斜面４４ａによってフランジ部３１ａが図１８において上方に押圧されるので、外障子８が内障子９からしだいに離間していく。
【００３６】
そして、引寄せ部材４２の上面がフランジ部３１ａに当接してからは図１８（ｄ），（ｃ）に示すように、外障子８が内障子９から所定の隙間だけ離間した状態で、内障子９が移動していく。
内障子９がさらに移動して、引寄せ部材４２が移動して、図１８（ｂ），（ａ）に示すように、その傾斜面４４ｂが外障子８の煙返し４７に当接すると、この煙返し４７によって、引寄せ部材４２が上方に引寄せられ、これによって、内障子９が外障子８に近付き、第２シリンダ３２のフランジ部３２ａが、第１シリンダ３１のフランジ部３１ａと対向する。
【００３７】
このように本実施の形態では、内障子９を外障子８に開状態から閉状態へと移動させて、両障子８，９の縦框４０，４６が召し合う際に、これら縦框４０，４６が離間してフランジ部３１ａとフランジ部３１ｂが干渉することがないので、スムーズに閉状態に移行できる。
また、障子８，９が閉まりきる際に、縦框４０，４６が引寄せられるので、障子８，９によって確実に開口をとじて、シリンダ錠３０によってロックできる。
【００３８】
なお、前述の実施の形態では、２枚建ての開口部装置について説明したが、本発明はこれに限らず、４枚建て等の開口部装置にも適用することができる。
【図面の簡単な説明】
【００３９】
【図１】本発明の実施の形態に係る開口部装置を示す図であって、開口部装置の縦断面図である。
【図２】同、横断面図である。
【図３】同、開口部装置の下枠を示すもので、（ａ）は下枠の平面図、（ｂ）は下枠の側面図、（ｃ）は下枠の横断面図である。
【図４】同、気密材を示すもので、（ａ）は正面図、（ｂ）は側面図、（ｃ）は平面図、（ｄ）は底面図、（ｅ）は（ａ）におけるＡ−Ａ線断面図、（ｆ）は（ａ）におけるＢ−Ｂ線断面図である。
【図５】同、開口部装置の下端部の縦断面図である。
【図６】同、開口部装置の下端部の横断面図である。
【図７】同、気密材を示すもので、（ａ）は平面図、（ｂ）は側面図、（ｃ）は正面図、（ｄ）は（ａ）におけるＡ−Ａ線断面図、（ｅ）は（ａ）におけるＢ−Ｂ線断面図である。
【図８】同、開口部装置の下端部の横断面図である。
【図９】同、開口部装置の下端部の縦断面図である。
【図１０】同、気密材を示すもので、（ａ）は平面図、（ｂ）は底面図、（ｃ）は（ａ）におけるＡ−Ａ線断面図、（ｄ）は（ａ）におけるＢ−Ｂ線断面図である。
【図１１】同、開口部装置の下端部の縦断面図である。
【図１２】同、開口部装置の召合せ部の横断面図である。
【図１３】同、汎用のシリンダ錠を設けた開口部装置の召合せ部の横断面図である。
【図１４】同、引寄せ部材を装着した状態を示す召合せ部の横断面図である。
【図１５】同、引寄せ部材を装着した状態を示す縦框の要部の斜視図である。
【図１６】同、引寄せ部材の斜視図である。
【図１７】同、引寄せ部材を示すもので、（ａ）は正面図、（ｂ）は平面図、（ｃ）は底面図、（ｄ）は左側面図、（ｅ）は右側面図である。
【図１８】同、開口部装置による開口の開状態と開状態との間の工程を示す断面図である。
【符号の説明】
【００４０】
１  開口部装置
２  上枠
３  下枠
４，５  縦枠
７  戸体
８  外障子
９  内障子
１２ａ，１３ａ  レール
２０，２５，２８  気密材
２１ｂ，２１ｃ，２５ｂ，２５ｃ，２８ｂ  傾斜面
１３ｄ，１１ｂ  レール溝の底面
Ｓ１  隙間
【図１】
2007070961.tif 000003
【図２】
2007070961.tif 000004
【図３】
2007070961.tif 000005
【図４】
2007070961.tif 000006
【図５】
2007070961.tif 000007
【図６】
2007070961.tif 000008
【図７】
2007070961.tif 000009
【図８】
2007070961.tif 000010
【図９】
2007070961.tif 000011
【図１０】
2007070961.tif 000012
【図１１】
2007070961.tif 000013
【図１２】
2007070961.tif 000014
【図１３】
2007070961.tif 000015
【図１４】
2007070961.tif 000016
【図１５】
2007070961.tif 000017
【図１６】
2007070961.tif 000018
【図１７】
2007070961.tif 000019
【図１８】
2007070961.tif 000020